(57)【要約】【課題】不測に蓋が風圧により吹き上げられるのを防止できるうえ、ハンドルを押すだけの操作で簡単に蓋を開けられるごみ集積ボックスを提供する。【解決手段】蓋３の前端側の中央付近部にラッチ錠２０を取り付けており、このラッチ錠２０は、蓋３に埋設される錠ケーシング２４と、この錠ケーシング２４内に先端が錠ケーシング２４のフロントに対し出没自在に配設されかつ常に付勢手段で突出付勢されたラッチ２５と、蓋３の外面に回転中心軸３０回りに上下方向に回転可能に取り付けられたハンドル２１と、このハンドル２１を上方に押して回転中心軸３０回りに回転させるに伴いラッチ２５を錠ケーシング２４内に没入させて解錠する錠機構１９と、を備える。前面パネル５の上端側にはストライク２２を取り付け、このストライク２２には蓋３を閉めたときにラッチ２５の先端部が突出状態で係合するラッチ係合凹部３３を形成している。【選択図】図７
2010195539.tif 000002
【特許請求の範囲】
【請求項１】
内部に側面パネルと前面パネルとにより囲まれたごみ収容部を有し且つ上面側にごみ投入口を形成したボックス本体と、前記ごみ投入口を開閉する蓋とを備え、前記蓋はこれの後端側が前記ごみ投入口の後側に枢着されたヒンジ軸を中心に上下方向に開閉回動自在に取り付けられているごみ集積ボックスにおいて、
前記蓋の前端側の中央付近部にラッチ錠を取り付けており、このラッチ錠は、前記蓋の前端部に埋設される錠ケーシングと、この錠ケーシング内に先端が錠ケーシングのフロントに対し出没自在に配設されかつ常に付勢手段で突出付勢されたラッチと、前記蓋の前端部の外面に回転中心軸回りに上下方向に回転可能に取り付けられたハンドルと、このハンドルを回転中心軸回りに上方に押して回転させるに伴い前記ラッチを前記錠ケーシング内に没入させて解錠する錠機構と、を備えており、
前記前面パネルの上端側にはストライクを取り付けており、このストライクの上端面には前記蓋を閉めたときに前記ラッチの先端部が突出状態で係合するラッチ係合凹部を上向き開放状に形成していることを特徴とする、ごみ集積ボックス。
【請求項２】
前記ストライクの前側に係合突起が前方突出状に設けられ、前記蓋の前端部には、前記ラッチの先端が貫通するラッチ貫通孔を有する上面板と、上面板の前端から下向きに折曲形成され前記係合突起に係脱可能な突起係合孔を有する断面逆Ｌ形状の受け具が取り付けられ、前記蓋を閉めるに伴い前記受け具の突起係合孔が前記係合突起に係合するようにしていることを特徴とする、請求項１記載のごみ集積ボックス。
【発明の詳細な説明】
【技術分野】
【０００１】
本発明は、自治体、公園あるいは事業所等のごみ収集場所に設置され、家庭や事業所などから持ち出されるごみを一時的に集積するごみ集積ボックスに関する。
【背景技術】
【０００２】
ゴミ収集場所に出されたごみ袋等を鳥獣類あるいは風雨等から保護し、内容物の散乱を防止するため、ごみ集積ボックスがごみ収集場所に据置されている。このごみ集積ボックスとしては、ボックス本体の内部にごみ収容部を形成し、ごみ収容部の上部に設けたごみ投入口を開閉可能とする蓋を設けたものが知られている（例えば、特許文献１参照。）。
【０００３】
このようなごみ集積ボックスにおいて、蓋を錠前で施錠したり、あるいは蓋側に受け金具を、ボックス本体側に掛け金具をそれぞれ設けて南京錠で施錠したりして、合鍵を持つ特定の利用者だけが利用できるようにしたものがある（例えば、特許文献２参照。）。
【０００４】
また、ごみ集積ボックスの蓋ではないが、建物用ドアに取り付けられ、ハンドルを押すか又は引くことによりドアを簡単に開けられるようにしたプッシュプル錠（反転式ラッチ錠）はよく知られている（例えば、特許文献３、４、５参照。）。
【先行技術文献】
【特許文献】
【０００５】
【特許文献１】特開２００１−１８０８０１号公報
【特許文献２】登録実用新案第３０６３６０２号公報
【特許文献３】特開２００３−１７６６４６号公報
【特許文献４】特開２００７−１５４４９９号公報
【特許文献５】特開２００８−１６３５９２号公報
【発明の概要】
【発明が解決しようとする課題】
【０００６】
しかしながら、蓋を施錠する上記ごみ集積ボックスでは、錠を掛け忘れると、ごみ集積ボックスの格子パネルあるいはパンチングパネル等からなる前面パネルや側面パネルからごみ収容部内に入って来る風圧により、不測に蓋が吹き上げられて開いてしまうことがあり、そうした場合鳥獣類あるいは風雨等からの保護機能を失うという問題があった。
【０００７】
本発明は、このような問題を解決するためになされたものであって、その目的とするところは、プッシュプル錠を改変したラッチ錠を蓋の錠前に採用することにより、不測に蓋が風圧により吹き上げられるのを防止できるうえ、ハンドルを押すだけの操作で簡単に蓋を開けられるごみ集積ボックスを提供することにある。
【課題を解決するための手段】
【０００８】
本発明のごみ集積ボックスは、請求項１に記載のように、発明の内容を理解しやすくするために図１〜図８に示した符号を参照して説明すると、内部に側面パネル４と前面パネル５とにより囲まれたごみ収容部６を有し且つ上面側にごみ投入口７を形成したボックス本体２と、ごみ投入口７を開閉する蓋３とを備え、蓋３はこれの後端側がごみ投入口７の後側に枢着されたヒンジ軸１３を中心に上下方向に開閉回動自在に取り付けられているごみ集積ボックスにおいて、蓋３の前端側の中央付近部にラッチ錠２０を取り付けており、このラッチ錠２０は、蓋３の前端部に埋設される錠ケーシング２４と、この錠ケーシング２４内に先端が錠ケーシング２４のフロントに対し出没自在に配設されかつ常に付勢手段で突出付勢されたラッチ２５と、蓋３の前端部の外面に回転中心軸３０回りに上下方向に回転可能に取り付けられたハンドル２１と、このハンドル２１を上方に押して回転中心軸３０回りに回転させるに伴いラッチ２５を錠ケーシング２４内に没入させて解錠する錠機構１９と、を備えており、前面パネル５の上端側にはストライク２２を取り付けており、このストライク２２の上端面には蓋３を閉めたときにラッチ２５の先端部が突出状態で係合するラッチ係合凹部３３を上向き開放状に形成していることに特徴を有するものである。
【０００９】
これによると、蓋３を閉めた状態ではラッチ２５の先端部が突出状態でストライク２２のラッチ係合凹部３３に係合して閉蓋状態を保持するため、蓋３が不測に風圧で吹き上げられて開けられるのを防止できる。
蓋３を開けるときはハンドル２１を上方に押して回転させるだけで、ラッチ２５を錠機構１９を介して錠ケーシング２４内に没入させて解錠することができ、簡単に蓋３をヒンジ軸１３回りに上方へ回動させて開けることができる。
【００１０】
請求項１記載のごみ集積ボックスは、請求項２に記載のように、前記ストライク２２の前側に係合突起３４が前方突出状に設けられ、前記蓋３の前端部には、前記ラッチ２５の先端が貫通するラッチ貫通孔３６を有する上面板３７と、上面板３７の前端から下向きに折曲形成され前記係合突起３４に係脱可能な突起係合孔３８を有する前面板３９からなる断面逆Ｌ形状の受け具３５が取り付けられ、蓋３を閉めるに伴い受け具３５の突起係合孔３８が係合突起３４に係合するという構成を採用することができる。
請求項１記載のごみ集積ボックスのようにラッチ錠２０を取り付けておくだけでは、風圧による蓋３の浮き上がり防止を全うできない場合がある。すなわち、蓋３にがたつきがあると、やはり強い風圧により蓋３が浮き上がる恐れがあるが、上記構成のように、蓋３を閉めるに伴い受け具３５の突起係合孔３８が係合突起３４に係合するようにしておくと、蓋３ががたつきによって浮き上がるのを確実に阻止でき、ラッチ錠２０の補完機能を発揮し得、蓋３の吹き上げ防止効果をより一層高めることができることになる。また、係合突起３４はストライク２２を利用してこれの前側に設けるので、それだけ部材点数の削減を図ることができる。
【発明の効果】
【００１１】
本発明によれば、蓋を閉じるとラッチ錠のラッチがストライクのラッチ係合凹部に係合することで自動的に蓋を閉じロックできるため、不測に蓋が風圧により開けられるのを防止でき、しかもラッチ錠のハンドルを上方に押して回転中心軸回りに回転させるだけで蓋を簡単に開けることができ、使い勝手が頗る良い。
【図面の簡単な説明】
【００１２】
【図１】本発明の一実施例を示すごみ集積ボックスの平面図である。
【図２】図１の集積ボックスの正面図である。
【図３】図１の集積ボックスの側面図である。
【図４】図１の集積ボックスの一部正面図である。
【図５】図４におけるＸ−Ｘ線断面図である。
【図６】図１のごみ集積ボックスのハンドルおよび反転式ラッチ錠周辺部の正面図である。
【図７】図１のごみ集積ボックスのハンドルおよび反転式ラッチ錠周辺部の縦断側面図である。
【図８】図１のごみ集積ボックスのハンドルおよび反転式ラッチ錠周辺部を下側から見て一部を破断して示す底面図である。
【発明を実施するための形態】
【００１３】
本発明の実施の形態を実施例に基づき詳細に説明する。図１〜図５において、本発明に係るごみ集積ボックス１はボックス本体２と蓋３とを備える。ボックス本体２は内部に格子パネル等からなる左右の側面パネル４とパンチングパネル等からなる前面パネル５により囲まれるごみ収容部６（図５参照）を形成し、且つ上面側に金属板等からなる断面くの字形状の蓋３により開閉されるごみ投入口７（図５参照）を形成している。ボックス本体２内の底側には底板８を敷設するが、必ずしも底板８は敷設しなくてもよい。
【００１４】
図１〜図３に示すように、ごみ集積ボックス１の据置場所には左右一対の前支柱９ａ、９ａと左右一対の後支柱９ｂ、９ｂを立設しており、前支柱９ａ、９ａ及び後支柱９ｂ、９ｂの各下端は、ごみ集積ボックス１の据置場所に埋設された左右一対の前アンカーボルト１０ａ、１０ａ及び後アンカーボルト１０ｂ、１０ｂにそれぞれ螺子手段を用いて締結固定されている。
【００１５】
図１、図５において、蓋３はこれの後端側がごみ投入口７の後側に枢着されたヒンジ軸１３を中心に上下方向に開閉回動自在に取り付けられている。図２、図４に示すように、蓋３はこれの前端部下面の左右箇所には座部１４をそれぞれ取り付け、蓋３を全閉したとき該座部１４が左右の前支柱９ａ、９ａ間における前面パネル５の上端側に渡した胴縁１５の上に載置するようにしてある。
【００１６】
図５に示すように、前支柱９ａと蓋３の間にはガススプリング等によるダンパー１６が配設されており、蓋３の急激な開閉回動を制御すると共に、蓋３を任意の回動角度位置で停止保持し得るようにしている。さらに、左右の後支柱９ｂ、９ｂどうし間には背面パネル１７を配置している（図５参照）。ただし、ごみ集積ボックス１は壁等の前側に設置する場合があり、この場合においては、背面パネル１７は、必ずしも必要とするものではない。
【００１７】
図６〜図８において、前面パネル５は左右の前支柱９ａ、９ａ間に配置され、前面パネル５の上方側に渡された胴縁１５と蓋３の前端部との間においては、蓋３の前端側の左右方向の略中央付近部位にラッチ錠２０、およびラッチ錠用のハンドル２１を取り付ける一方、前面パネル５の上端側に配設された胴縁１５の左右方向の略中央付近部位に、ラッチ錠用のストライク２２をねじ４３（図６、図７参照）等で取り付けている。
【００１８】
図６〜図８に示すように、ラッチ錠２０は蓋３の前端側の左右方向の略中央付近部位に埋め込まれている。ラッチ錠２０は、移動可能な作動部２３（図７参照）を内蔵した錠ケーシング２４と、その作動部２３の僅かな移動で反転して錠ケーシング２４内に没入可能状態となるラッチ２５とを備えたものであり、このラッチ錠２０は前出の特許文献３〜５等に公知のプッシュプル錠のハンドルを改変し、その他の構成については利用できるものを採用している。ラッチ２５は、錠ケーシング２４内に先端が錠ケーシング２４のフロントに対し出没自在に配設されかつ常にばね部材（図示省略）等による付勢手段で突出付勢されているものである。
【００１９】
蓋３の前端部の外側面に取り付けているハンドル２１は、丸棒状のハンドル本体２６と、このハンドル本体２６の左右にハンドルアーム２７を介して取り付けられた左ブラケット２８および右ブラケット２９とを備えている。
【００２０】
左ブラケット２８および右ブラケット２９は蓋３の前端部の外側面にねじ４１（図８参照）等で固定されている。左右のハンドルアーム２７，２７は、左右ブラケット２８，２９の各内部に組み込まれた回転中心軸３０回りに上下方向に回転可能に枢着されている。左右の各回転中心軸３０には、ハンドル２１を図７に実線で示す常態位置から上方（矢印Ａ方向）に押して所定角度だけ回転させることで図７に仮想線Ｂで示す上方回動角位置に停止させた後、ハンドル２１を元の常態位置に戻すための復帰用スプリング３１（図８参照）が外嵌されている。
【００２１】
左右ブラケット２８，２９のいずれか一方（図示例では左ブラケット２８）の内部には、図７、図８に示すように、錠ケーシング２４内の作動部２３を動作させるための押金３２が、錠ケーシング２４に向けて設けられている。押金３２の基部には回転中心軸３０が挿通されているとともに、押金３２の先端は、錠ケーシング２４内の作動部２３を押して移動させるようになっている。これら作動部２３および押金３２により、ハンドル２１を回転中心軸３０回りに上方に押して回転させたときにラッチ２５を反転させて錠ケーシング２４内に没入し解錠する錠機構１９（図７参照）が構成される。
【００２２】
図６、図７に示すように、前記ラッチ錠用のストライク２２は、板金を折り曲げ加工する等により形成されたものであり、ストライク２２の上端面にはラッチ２５の先端部が突出状態で係合するラッチ係合凹部３３を上向き開放状に形成している。ストライク２２の前側には係合突起３４を前方突出状に設けている。図６〜図８に示すように、蓋３の前端部における錠ケーシング２４のフロント下面側には、蓋３の開閉に伴い係合突起３４に係脱可能な受け具３５をねじ４２等で取り付けている。受け具３５は、ラッチ２５の先端が貫通するラッチ貫通孔３６（図８参照）を有する上面板３７と、上面板３７の前端から下向きに折曲形成され係合突起３４に係脱可能な突起係合孔３８を有する前面板３９からなる断面逆Ｌ形状に形成されている。
【００２３】
以上の構成からなるごみ集積ボックス１によると、図５に示すように、蓋３をヒンジ軸１３回りに開閉してごみをごみ投入口７からごみ収容部６内に出し入れすることができる。
蓋３の全閉状態では、ラッチ２５は、付勢手段によって突出付勢され、図７に示すようにストライク２２のラッチ係合凹部３３に挿入係合している。この図７に示す状態では、蓋３を図示上向きに動かそうとしても、ラッチ係合凹部３３に対してラッチ２５の先端の垂直な係止面２５ａとラッチ係合凹部３３の開口端縁が当接し、ラッチ２５が錠ケーシング２４内に没入しないため、蓋３は係止され、図示上向きへ動くことができない。したがって、このとき蓋３が前面パネル５や側面パネル４あるいは背面パネル１７等から入ってくる風圧で不測に開けられるのを防止できる。また、ストライク２２の係合突起３４が受け具３５の突起係合孔３８に嵌入係合しており、これにより、蓋３に少々がたつきがあっても、蓋３が風圧で浮き上がるのを確実に阻止するというラッチ錠２０の補完機能を発揮する。
【００２４】
蓋３を開けるときは、ハンドル２１を図７において矢印Ａで示すごとく上方に押して回転中心軸３０回りに回転させると、この回転により押金３２の先が回転中心軸３０回りに図示（図７）時計回りに回動する。すると、錠ケーシング２４内の作動部２３が図示（図７）下側に移動し、ラッチ２５が錠ケーシング２４内に反転して没入可能となると共に、ハンドル２１を押した力によって蓋３を上方へ開けることができる（図５中の仮想線状態を参照）。蓋３を開けるに伴い受け具３５の突起係合孔３８がストライク２２の係合突起３４から脱出し、その係合が解除される。
【００２５】
蓋３を閉じるときは、ラッチ２５の先端の斜面２５ｂ（図７参照）がストライク２２の係合突起３４の上端斜面に当接して、その押し込み力の分力でラッチ２５が付勢手段による付勢力に抗して錠ケーシング２４内に没入し、ラッチ２５の先端が係合突起３４を乗り越えると同時に付勢手段による付勢力でストライク２２のラッチ係合凹部３３に挿入係合し、これにより蓋３は自動的に閉じロックされる。このため、不測に蓋３が風圧により開けられるのを防止できる。また、蓋３を閉じるに伴い受け具３５の突起係合孔３８がストライク２２の係合突起３４に嵌入係合する。これにより、既述のように、蓋３にがたつきがあっても、蓋３が風圧で浮き上がるのを確実に阻止するというラッチ錠２０の補完機能を発揮することができる。
【００２６】
上記実施例では、側面パネル４、前面パネル５、及び背面パネル１７には線材を格子状に溶接した格子パネルを使用したが、これらの他に金属製あるいは無機質材料によるパネル等を使用することもできる。また、前後支柱９ａ、９ｂは地面にアンカーボルト１０ａ、１０ｂを用いて固定したが、前後支柱９ａ、９ｂの各下端にキャスター装置を設けてごみ集積ボックス１を移動可能とすることも可能である。
【００２７】
図示例（図６、図８参照）では、左ブラケット２８に、ラッチ２５の没入を阻止するシリンダー錠４０を付設している。これによると、蓋３を閉じた後、鍵でシリンダー錠４０を施錠することができ、ハンドル２１を回転操作しても解錠されなくなる。ただし、シリンダー錠４０は必ずしも必要とするものではない。
【符号の説明】
【００２８】
１ ごみ集積ボックス
２ ボックス本体
３ 蓋
４ 側面パネル
５ 前面パネル
６ ごみ収容部
７ ごみ投入口
１３  ヒンジ軸
１９  錠機構
２０  ラッチ錠
２１  ハンドル
２２  ストライク
２３  作動部
２４  錠ケーシング
２５  ラッチ
３０  回転中心軸
３３  ラッチ係合凹部
３４  係合突起
３５  受け具
３６  ラッチ貫通孔
３７  上面板
３８  突起係合孔
３９  前面板
【図１】
2010195539.tif 000003
【図２】
2010195539.tif 000004
【図３】
2010195539.tif 000005
【図４】
2010195539.tif 000006
【図５】
2010195539.tif 000007
【図６】
2010195539.tif 000008
【図７】
2010195539.tif 000009
【図８】
2010195539.tif 000010